(57)【要約】【課題】卓上タイプのショーケースを提供する。【解決手段】透光性の前壁１１と、前方が透光性の左右の側壁と、ベース部２０と、ルーフ部３０と、陳列室５に後方からアクセスするための開閉可能なドア１５とを有するショーケース１０を提供する。ベース部２０は、機械室２９を含み、機械室２９には、液冷媒方式のペルチェユニットと、液冷媒を循環するためのポンプと、放熱側の熱交換器２３と、換気ファン２４ａおよび２４ｂとを含み、ペルチェユニットと、ポンプ２１および２２、換気ファン２４ａおよび２４ｂとは、平面的に配置されている。放熱側の熱交換器２３は、機械室２９のベース部２０の前面２０ａおよび側面に沿うようにＬ型に配置されている。【選択図】図３
2008096054.tif 000002
【特許請求の範囲】
【請求項１】
透光性の前壁と、少なくとも前方が透光性の左右の側壁と、前記前壁および前記左右の側壁を支持するベース部と、前記前壁および前記左右の側壁の上に設けられたルーフ部と、前記前壁、前記左右の側壁、前記ベース部および前記ルーフ部に囲われた陳列室に後方からアクセスするための開閉可能なドアとを有するショーケースであって、
前記ベース部は、機械室を含み、さらに、液冷媒方式のペルチェユニットと、前記ペルチェユニットの放熱側の液冷媒を循環するための第１のポンプと、前記ペルチェユニットの吸熱側の液冷媒を循環するための第２のポンプと、放熱側の熱交換器と、前記機械室を換気するための換気ファンとを含み、前記ペルチェユニットと、前記第１のポンプと、前記第２のポンプと、前記換気ファンとは、前記機械室に平面的に配置され、前記放熱側の熱交換器は、前記機械室に当該ベース部の周面の少なくとも一部および／または底面の少なくとも一部に沿うように配置されており、
前記ルーフ部は、天井面の少なくとも一部に沿うように配置された吸熱側の熱交換器を含む、ショーケース。
【請求項２】
請求項１において、さらに、
前記左右の側壁の少なくとも一方の後方に埋設された配管であって、前記機械室と前記吸熱側の熱交換器との間で吸熱側の液冷媒を循環するための配管を有する、ショーケース。
【請求項３】
請求項２において、前記ドアを開けると、前記陳列室の後方が全開になる、ショーケース。
【請求項４】
請求項１において、前記陳列室の床面の全域をカバーし、ドレンを保持可能な皿状の部材であって、前記ドアを開けて、前記陳列室の後方から出し入れ可能な皿状の部材を、さらに有する、ショーケース。
【請求項５】
請求項１において、前記ルーフ部の、前記吸熱側の熱交換器の下側の天井パネルは、前記天井面の少なくとも一部を構成するとともに、前記吸熱側の熱交換器のドレンパンを兼ねており、さらに、
前記天井パネルからドレンを排出するためのドレン管であって、前記左右の側壁の少なくとも一方の後方に埋設されているドレン管を有する、ショーケース。
【請求項６】
請求項１において、前記ペルチェユニットは、断熱材に囲われており、前記断熱材は、前記機械室の構造部材を兼ねている、ショーケース。
【発明の詳細な説明】
【技術分野】
【０００１】
本発明は、店舗のカウンタの上などに配置される卓上タイプのショーケースに関するものである。
【背景技術】
【０００２】
特許文献１には、店舗のカウンタ上に据え付けるのに好適なオープンショーケースが開示されている。このオープンショーケースは、スーパーマーケットやコンビニエンスストアなどの店舗のレジカウンタなどの卓上に設置し、陳列室内において商品を冷却しながら陳列するためのものである。陳列室の下方には冷却装置の圧縮機などを設置するための機械室が構成されており、機械室の高さを前部が低く後部が高くなるように構成し、圧縮機などの寸法の嵩む機器を機械室内後部に据え付けるようにしている。また、後面の開口を開閉自在に閉塞する扉を備えており、この扉の断熱材と内面板との間に上下に渡る後部ダクトが形成されている。そして、扉を閉じると、下側の連通孔が底板の連通孔に合致し、上側の連通孔が天板の天部ダクトの連通孔に合致する。このため、機械室の冷却器と熱交換して冷却された冷気は、扉の後部ダクトを上昇し、天部ダクトに入って前方へ移動し、陳列室の前面開口から吐出される。
【０００３】
特許文献２には、卓上型冷却ショーケースであって、客に対して収納商品を透視できる前面と、前面の横に位置し店員に対して収納商品を透視できるサービス面と、前面とサービス面との裏側に沿って連続して形成された商品陳列室と、商品陳列室の後方に形成された空間に収納され商品陳列室内を冷却するための機械を収納した機械室とを有するショーケースが記載されている。このショーケースでは、商品陳列室は、天板及び底板を除けば、ショーケースのほぼ全高に渡って形成されている。一方、機械室は、商品陳列室の後方で、前面とサービス面とで囲まれた投影領域に配置され、冷凍ユニット機械が収納されている。冷凍ユニット機械は主として冷媒圧縮機、凝縮器及び送風機である。機械室の底面及び背面には機械室への空気の吸い込み口が形成され、機械室の上面には空気の吐出口が形成されている。
【特許文献１】特開２００１−１２８８０９号公報
【特許文献２】特開２０００−２５３９６５号公報
【発明の開示】
【発明が解決しようとする課題】
【０００４】
卓上型のショーケースは、カウンタの上に設置されるようになっているので、顧客の目の高さに近く、陳列室はショーケースの全高にわたって形成されていることが望ましい。さらに、陳列室は、顧客の側から、すなわち、前方および側方から見易いことが望ましい。
【０００５】
また、店員はカウンタ内に通常は居るので、ショーケースの後方、すなわち、陳列室の後方から陳列室内の商品を取ったり、陳列室に商品を並べたりできることが望ましい。したがって、陳列室内の全体にわたり、後方から容易にアクセスできることが望ましい。特に、陳列室に食料品を展示する場合は、陳列室内を定期的に清掃することが望ましく、その際、カウンタの内側から陳列室内を容易に清掃できることが望ましい。
【０００６】
特許文献１に記載のオープンショーケースは、後方に扉が設けられているので、一見、陳列室に後方からアクセスしやすい。しかしながら、前方が低く、後方が高くなるように構成された機械室が、陳列室の後方からのアクセスの邪魔になる。したがって、後方の扉を開けても、機械室の前方、特に、陳列室の前方下部には容易にアクセスできない。さらに、扉に冷風を供給するためのダクトが収納されており、扉を開けると、後方下部から後方へ冷気が吹き出し、陳列室へ冷気が供給されなくなる。商品を陳列したり、取り出すために陳列室の後方の扉を開けたときは、外気が侵入するために冷却の負荷が増加するときである。したがって、扉を開けたときに冷気が陳列室に供給されないために、陳列室の温度が変動し易い。
【０００７】
特許文献２に記載のショーケースは、陳列室がショーケースの全高にわたって形成されており、その点では卓上用に適している。しかしながら、陳列室の後方は機械室となっており、陳列室に対して後方からアクセスすることができない。したがって、商品の取出し、特に、前面に配置された商品をカウンタの中から取出すことはほとんど不可能である。また、陳列室をカウンタの中から清掃することも非常に難しい。
【課題を解決するための手段】
【０００８】
本発明の一態様は、透光性の前壁と、少なくとも前方が透光性の左右の側壁と、これら前壁および側壁を支持するベース部と、前壁および側壁の上に設けられたルーフ部と、前壁、側壁、ベース部およびルーフ部に囲われた陳列室に後方からアクセスするための開閉可能なドアとを有するショーケースである。ベース部は、機械室を含む。ベース部は、さらに、液冷媒方式のペルチェユニットと、ペルチェユニットの放熱側の液冷媒を循環するための第１のポンプと、ペルチェユニットの吸熱側の液冷媒を循環するための第２のポンプと、放熱側の熱交換器と、機械室を換気するための換気ファンとを含む。ペルチェユニットと、第１のポンプと、第２のポンプと、換気ファンとは、機械室に平面的に、上下に重ならないように配置されている。また、放熱側の熱交換器は、機械室に当該ベース部の周面の少なくとも一部および／または底面の少なくとも一部に沿うように配置されている。ルーフ部は、天井面の少なくとも一部に沿うように配置された吸熱側の熱交換器を含む。
【０００９】
このショーケースにおいては、液冷媒方式のペルチェユニットを採用している。液冷媒の典型的なものは、水またはブライン（不凍液）である。このショーケースに採用されている液冷媒方式のペルチェユニットは、ペルチェ素子を含み、第１のポンプにより循環される放熱側の液冷媒とペルチェ素子の放熱側のヒートシンクとが熱交換し、第２のポンプにより循環される吸熱側の液冷媒と吸熱側のヒートシンクとがそれぞれ熱交換する。熱容量の大きな液冷媒と熱交換することにより、放熱側および吸熱側のヒートシンクは小さくなり、液冷媒方式のペルチェユニットは、コンパクトで冷却能力が高い。したがって、ペルチェユニットと、第１のポンプと、第２のポンプと、換気ファンとは、機械室に平面的に、上下に重ならないように配置することにより、機械室の高さを縮め、ベース部を薄くできる。
【００１０】
さらに、液冷媒方式のペルチェユニットは、放熱側および吸熱側の熱交換器を分離できるので、それらの配置の自由度が高まる。放熱側の熱交換器は、ベース部の周面の少なくとも一部、例えば、ベース部の前方および側方の一方あるいは両方に沿って配置できる。このため、ベース部を高くしなくても十分な伝熱面積を確保でき、ベース部を薄くできる。また、放熱側の熱交換器をベース部の底面の少なくとも一部に沿うように、平面的に配置することも可能である。熱交換器がベース部の前面あるいは側面に現れないようにしたり、現れる面積を小さくすることにより、ショーケースのデザインの自由度を向上できる。
【００１１】
吸熱側の熱交換器は、ルーフ部の、天井面の少なくとも一部に沿うように配置できる。陳列室内を冷却するための吸熱側を天井面に設けることにより、陳列室内の冷気の循環を促進できる。さらに、吸熱側の熱交換器を天井面に沿うように平面的に配置することにより、吸熱側の熱交換器を設置するための高さを抑制できる。このため、ルーフ部を薄くでき、ショーケースの全高の中で陳列室が占める部分を大きくできる。
【００１２】
さらに、ルーフ部に配置された吸熱側の熱交換器と機械室のペルチェユニットおよび第２のポンプとを接続するのは、液冷媒を循環するための配管となり、冷気を循環するためのダクトを省略できる。配管を配置するためのスペースは、ダクトを配置するためのスペースよりも小さい。したがって、この点でもショーケースのデザインの自由度が向上する。ルーフ部には、さらに、冷気を循環させるためのファンを設けることが可能である。
【００１３】
ショーケースは、左右の側壁の少なくとも一方の後方に埋設された配管であって、機械室と吸熱側の熱交換器との間で吸熱側の液冷媒を循環するための配管を有することが好ましい。配管を配置するためのスペースは小さいので、左右の側壁の透光性をほとんど犠牲にすることなく、配管を配置できる。さらに、陳列室の後方のドアと配管とが干渉するのを防止でき、さらに、ベース部も薄くなるので、ドアを開けると、陳列室の後方が全開になるショーケースを提供できる。したがって、ドアを開けることにより、後方から陳列室内へのアクセスが容易となり、商品の出し入れ、陳列室の清掃が容易になる。
【００１４】
ショーケースは、陳列室の床面の全域をカバーし、ドレンを保持可能な皿状の部材を備えていることが望ましい。この皿状の部材は、ドアを開けて、陳列室の後方から出し入れ可能であることが望ましい。陳列室の床面の全域をカバーすることにより、陳列室内で発生したゴミなどを皿状の部材に回収でき、また、この皿状の部材に陳列室内で発生したドレンを集合させることができる。そして、ドアを開けると、陳列室の後方が全開になるショーケースにおいては、そのような皿状の部材を後方から容易に出し入れできる。このため、陳列室内の清掃がさらに容易になる。また、皿状の部材に溜まったドレンが再蒸発することにより、陳列室内に適度な湿度を保持することも可能となる。
【００１５】
ルーフ部の、吸熱側の熱交換器の下側の天井パネルは、天井面の少なくとも一部を構成するとともに、吸熱側の熱交換器のドレンパンを兼ねており、さらに、天井パネルからドレンを排出するためのドレン管であって、左右の側壁の少なくとも一方の後方に埋設されているドレン管を有することが好ましい。ドレン管の出口を皿状の部材に導くことにより、天井の吸熱側（冷却側）の熱交換器のドレンも含めて、陳列室の床面に配置された皿状の部材により回収できる。
【００１６】
ペルチェユニットは、断熱材に囲われており、断熱材は、機械室の構造部材を兼ねていることが望ましい。ペルチェユニットは、基本的には振動しないので、構造部材を兼ねた断熱材の内部に配置できる。したがって、ベース部の機械室内にペルチェユニットの占めるスペースを小さくでき、ベース部をコンパクトにすることができる。
【発明を実施するための最良の形態】
【００１７】
図１は、本発明の一実施形態のショーケースを前方から見た斜視図である。図２は、ショーケースを後方から見た斜視図である。さらに、図３は、ショーケースの内部の概略構成を示す断面図である。このショーケース１０は、全体として、上下に長く、上方が若干細くなった直方体である。ショーケース１０は、透光性の前壁１１と、前方１０ａが透光性の右側壁１２および左側壁１３とを備えている。前壁１１は、上方が後方１０ｂに傾斜した２重ガラス製の壁である。右側壁１２および左側壁１３は前方１０ａが上方に狭くなるように傾斜した片台形であり、右側壁１２の前側１２ａおよび左側壁１３の前側１３ａは、２重ガラス製である。右側壁１２の後側１２ｂおよび左側壁１３の後側１３ｂは非透光性のフレームである。
【００１８】
ショーケース１０は、さらに、前壁１１および左右の側壁１２および１３を支持するベース部２０と、前壁１１および左右の側壁１２および１３の上に設けられたルーフ部３０と、前壁１１、左右の側壁１２および１３、ベース部２０およびルーフ部３０に囲われた陳列室５に後方からアクセスするための開閉可能なドア１５とを有する。陳列室５には、上下に陳列棚６ａおよび６ｂが配置されている。
【００１９】
ベース部２０は、平断面がほぼ四角形の機械室２９を含む。この機械室２９は、陳列室５の下方に位置し、陳列室５とは断熱性の床壁７により隔てられている。図４に、機械室２９の内部の平面的な配置を示している。機械室２９には、液冷媒方式のペルチェユニット４０と、ペルチェユニット４０の放熱側の液冷媒を循環するための第１のポンプ２１と、ペルチェユニット４０の吸熱側の液冷媒を循環するための第２のポンプ２２と、放熱側の熱交換器２３と、機械室を換気するための換気ファン２４ａおよび２４ｂと、電源基板２５ａおよび２５ｂと、制御基板２６とが配置されている。
【００２０】
機械室２９に配置されたこれらの機器は上下に重ならないように、平面的に配置されている。具体的には、前方１０ａから見て、機械室２９の後方右側にペルチェユニット４０が配置され、前方右側に第１のポンプ２１が配置され、中央右側に第２のポンプ２２が配置され、前方左側に２つの電源基板２５ａおよび２５ｂが左右に並んで配置され、それらの後方に制御基板２６が配置されている。さらに、ベース部２０の後方の壁２０ｂに沿って２つの換気ファン２４ａおよび２４ｂが左右に並んで配置されている。これらの換気ファン２４ａおよび２４ｂは排気ファンであり、ベース部２０の後壁２０ｂには、換気ファン２４ａおよび２４ｂに対応した位置に、排気用の開口２８が設けられている。また、後壁２０ｂには、電源用のプラグの差込口、制御スイッチなどが配置されたパネル２０ｐが配置されている。
【００２１】
放熱側の熱交換器２３は、液冷媒、本例では水が通過するチューブを備えたラジエータタイプの熱交換器であり、ベース部２０の周面を構成する壁の一部である前側の壁（前面）２０ａおよび右側の壁（右側面）２０ｃに沿ってＬ字型に配置されている。ベース部２０の前壁２０ａおよび右側壁２０ｃのうち、熱交換器２３に面する部分には、グリル状の開口２７が形成されている。したがって、換気ファン２４ａおよび２４ｂが動くと、外気が機械室２９の前方および右側から機械室２９の内部に吸込まれ、熱交換器２３を流れる水を冷却する。さらに、機械室２９に吸い込まれた外気は、機械室２９の内部を換気し、機械室２９の後方から排出される。
【００２２】
機械室２９においては、内部に配置された機器を上下に重ならないように、平面的に配置することにより、機器の配置に要するスペースを薄くしている。このため、機械室２９の高さを低くできる。したがって、ベース部２０の高さを低くでき、ベース部２０の外観を薄くできる。電源基板２５ａおよび２５ｂ、制御基板２６などの基板類は全体が薄いので、条件が許せばこれらを重ねて配置してもベース部２０の高さ（厚さ）にそれほどの影響を与えない。一方、機械室２９に含まれる、ペルチェユニット４０、換気ファン２４ａおよび２４ｂ、第１のポンプ２１および第２のポンプ２２は、配置するためにほぼ同じ程度の高さ（厚み）のスペースを要する。したがって、これらを重ねないように配置することにより、ベース部２０を薄くできる。
【００２３】
この機械室２９に構成された冷却サイクルは、液冷媒方式のペルチェユニットを用いたサイクルである。したがって、コンプレッサーにより気化した冷媒を循環する冷却サイクルとは異なり、コンプレッサーを機械室２９に配置する必要はない。コンプレッサーを含む冷却サイクルでは、ポンプは不用であるが、特許文献１および２に示すように、コンプレッサーを縦または横にして収納するだけで機械室の高さが陳列室と同程度になったり、陳列室へアクセスする際の障害となっている。これに対し、このショーケース１０においては、コンプレッサーに対して、コンパクトな液冷媒方式のペルチェユニット４０を採用し、液冷媒を循環するためのポンプ２１および２２などと重ならないように、平面的に配置することにより、機械室２９を低くしている。
【００２４】
液冷媒の典型的なものは、水またはブライン（不凍液）であり、このショーケース１０においては水を液冷媒として採用している。液冷媒方式のペルチェユニット４０は、ペルチェ素子４５を含み、第１のポンプ２１により循環される放熱側の液冷媒とペルチェ素子の放熱側のヒートシンク４１とが熱交換する。また、第２のポンプ２２により循環される吸熱側の液冷媒と吸熱側のヒートシンク４２とが熱交換する。熱容量の大きな液冷媒と熱交換することにより、放熱側および吸熱側のヒートシンクは小さくなり、液冷媒方式のペルチェユニット４０は、コンパクトで冷却能力が高い。
【００２５】
また、ペルチェユニット４０に機械的に駆動される部分はなく、基本的には振動を発生しない。したがって、ペルチェユニット４０を断熱材、典型的には発泡スチロール４９で囲い、その発泡スチロール４９を、機械室２９を支持するための強度部材の一部として兼用している。このため、機械室に必要なスペースを減らすことができ、ベース部２０がコンパクトになる。
【００２６】
さらに、液冷媒方式のペルチェユニット４０は、放熱側および吸熱側の熱交換器を分離できるので、それらの配置の自由度が高まる。本例のショーケース１０においては、放熱側の熱交換器２３を機械室２９に配置し、吸熱側の熱交換器３３をルーフ部３０に配置している。熱交換器２３および３３を、機械室２９とルーフ部３０に分けて配置することにより、機械室２９として必要なスペースを減らすことができ、ベース部２０がさらにコンパクトになる。
【００２７】
また、熱交換器２３をベース部２０の周面に沿ってＬ字型に配置することにより、伝熱面積を横方向に広げて熱交換器２３を薄く、狭いスペースに配置できるようにしている。熱交換器２３をＣ字型にして、ベース部２０の前面２０ａ、右側面２０ｃおよび左側面２０ｄの一部に沿うように配置しても良い。ポンプ２１および２２など機械室２９に配置される他の機器により、機械室２９の高さが決まり、前面２０ａまたは側面２０ｃまたは２０ｄのいずれかの面にのみ配置することにより、熱交換器２３として十分な伝熱面積を確保できる場合は、熱交換器２３はそれらの面に沿った平板状であっても良く、Ｌ字状またはＣ字状に曲げて配置しなくても良い。
【００２８】
また、熱交換器２３の全部あるいは一部をベース部２０の床面、すなわち、機械室２９の底面２９ｆに沿うように配置しても良い。熱交換器２３の伝熱面積を確保するために機械室２９の高さが決まる場合には、機械室２９をさらに低くできる。また、熱交換器２３の全部を底面２９ｆに沿うように配置することにより、ベース部２０の前面２０ａおよび／または側面２０ｃまたは２０ｄに開口が現れることを防止でき、ショーケース１０のデザインのフレキシビリティが増す。また、顧客のいたずらを未然に防止できる。
【００２９】
図５に、ルーフ部３０の内部の平面的な配置を示している。図３に示すように、ルーフ部３０は、陳列室５に面した天井パネル（天井面）３１と、屋根を構成する断熱素材を含む上壁３２と、天井パネル３１および上壁３２との間の空間に、天井パネル３１の一部に沿うように配置された吸熱側の熱交換器３３とを含む。さらに、熱交換器３３の後方には、冷気を循環させるためのクロスフロータイプの循環ファン３４が配置されている。陳列室５の内部の空気は、循環ファン３４によって熱交換器３３の後方から吸い込まれ、熱交換器３３に供給されて冷却され、冷気３９が陳列室５の前方の吹出し口３８から下側に向かって吹き出されるようになっている。
【００３０】
吸熱側の熱交換器３３も、液冷媒、本例では水が通過するチューブを備えたラジエータタイプの熱交換器であり、熱交換器３３を天井面（天井パネル）３１に沿うように平面的に配置することにより、設置スペースを薄くできる。したがって、ルーフ部３０を薄くでき、ショーケース１０の全高の中で陳列室５が占める部分を大きくできる。
【００３１】
ルーフ部３０の前方には、ガラスまたはプラスチック製の透光性の２重構造の窓３５を介して陳列室５に面した照明５１と、この照明５１を冷却するためのクロスフロータイプの冷却ファン５２が配置されている。このショーケース１０においては、照明には市販されている蛍光灯が採用されている。図２に示すように、ルーフ部３０の蛍光灯５１の上面に当たる部分は、冷却用の空気を吸入するための開口（グリル）５３になっている。冷却ファン５２は、蛍光灯５１の前方に配置されており、開口５３から外気を吸い込んで蛍光灯５１を冷却し、ルーフ部３０の前方で、前壁１１の前側上方に設けられた排気口５４から前壁１１の前面に沿って排気する。ルーフ部３０の前方の排気口５４の上方は、Ｃ字状に左右の側壁１２および１３の上方に延びたチェンバーまたはダクト５５になっており、左右の側壁１２および１３の上方外側に設けられた排気口５６に接続されている。したがって、冷却ファン５２に吸い込まれた外気は、さらに、左右の側壁１２および１３の上方からそれぞれの側壁１２および１３の表面に沿って出力される。
【００３２】
照明の光源である蛍光灯５１は、発熱源でもある。したがって、陳列室５の内部を冷却する冷蔵用ショーケース１０においては、蛍光灯５１と陳列室５とは熱的に遮断することが望ましい。しかしながら、遮光性の断熱材を蛍光灯５１と陳列室５との間に設置することはできない。このため、このショーケース１０においては、蛍光灯５１を外気により強制的に冷却する。さらに、蛍光灯５１の下方を２重構造の窓３５として断熱し、また、陳列室５の前方に配置される窓３５の下方に向かって冷気３９を吹き出すことにより、蛍光灯５１からの熱により陳列室５に収納された商品（被冷蔵物）の品温が上昇するのを防止している。また、２重構造の窓３５の下側の部材３５ａは、下に凸に湾曲した形状とし、蛍光灯５１の光と熱とが、陳列室５の内部に分散して放出されるようにしている。
【００３３】
また、蛍光灯５１を冷却した外気は、前壁１１の前面、側壁１２および１３の表面に向けて排出され、これらの面が結露することを防止する。陳列室５の内部は、１０℃以下程度に冷却される。このため、前壁１１、側壁１２および１３がガラスまたはプラスチック板の二重構造になっていても、前壁１１の前面および側壁１２および１３の表面の温度が下がり、相対湿度が上がって結露し易い状態となる。蛍光灯５１を冷却した外気は、蛍光灯５１の熱により加熱されているので、相対湿度が低い。したがって、排気により、前壁１１の前面および側壁１２および１３の表面に沿った気流を生成することにより相対湿度が上昇して結露する条件になるのを未然に防止できる。前壁１１の前面は、陳列室５の内部に展示された商品を顧客に見せるために透明であることが望ましく、前壁１１の前面に吹出される流量を十分に確保することが望ましい。
【００３４】
ルーフ部３０に、吸熱側（冷却側）の熱交換器３３を配置することにより、陳列室５の上部の空気を冷却でき、陳列室５の内部の自然対流により冷気が拡散することが期待できる。したがって、循環ファン３４の風量は少なくて済む。また、熱交換器３３に面した天井パネル３１は、熱交換器３３において発生するドレン（凝固水）を回収するためのドレンパンを兼ねており、冷気およびドレンにより天井パネル３１が冷やされることにより、陳列室５の内部をさらに効率よく冷却できる。したがって、大量の冷風を陳列室５の内部に吹き出す必要はなく、冷風が当たると乾き易い商品や、その他の品質に影響がでやすい商品であっても陳列室５に陳列できる。
【００３５】
ルーフ部３０の冷却用の熱交換器３３を動作させるためには、機械室２９から液冷媒（本例では水）をルーフ部３０に供給する必要がある。液冷媒方式のペルチェユニット４０を採用しているので、冷気を循環するためのダクトを省略できる。代わりに、冷却側の熱交換器３３と機械室２９のペルチェユニット４０および第２のポンプ２２とを接続するのは、液冷媒を循環するための配管となる。配管を通すためのスペースはダクトを配置するためのスペースより小さくなるので、陳列室５の容量を大きく確保できる。
【００３６】
図６に、機械室２９とルーフ部３０との間に配置された配管のレイアウトを示している。配管６１および６２は、冷却側の熱交換器３３と機械室２９のペルチェユニット４０およびポンプ２２との間で水を循環するための配管である。配管６３は、天井パネル３１から陳列室５の床面に配置されたトレイ８にドレンを排出するためのドレン配管である。これら３本の配管６１〜６３は、断熱材である発泡スチロール６５に挟まれた状態で、右側壁１２のフレーム１２ｂに埋設されている。配管６１〜６３は、並列に配置することにより薄く狭いスペースに配置できる。したがって、側壁１２の透光性の前側の部分１２ａの面積を広く確保できる。左右のフレーム１２ｂおよび１３ｂに、これらの配管６１〜６３を分散して配置することにより、配管のためのスペースをさらに狭くできる。したがって、フレーム１２ｂおよび１３ｂが、強度的に問題がなければ、これらのフレーム１２ｂおよび１３ｂはさらに細くできる。このため、側方にさらに開けた、側方から陳列室５の内部がさらに見やすいショーケース１０を提供できる。このように、ダクトをなくし、液冷媒を循環するための配管に置き換えることにより、ショーケース１０のデザインの自由度を向上できる。
【００３７】
これらの配管６１〜６３をショーケース１０の前方に配置すると、断熱材を隠すために陳列室５の前方の透光性の面積が減少し、好ましくない。これらの配管６１〜６３は、ショーケース１０の後方、すなわち、陳列室５の後側に配置しても良い。配管６１〜６３を並べて配置するための幅は狭くてよいので、これらの配管６１〜６３を陳列室５の後側に配置しても、陳列室５の後側には従来よりも大きな面積の開口を確保でき、ドアで開閉できる。このショーケース１０においては、配管６１〜６３を側壁１２のフレーム１２ｂの内部に配置しているので、陳列室５の後方は完全に解放でき、さらに大きな面積の開口を確保できる。すなわち、後方のドア１５を開けると、陳列室５の後方が全開になるショーケース１０を提供できる。
【００３８】
図７に、ショーケース１０の後方のドア１５を開けた状態を示している。このドア１５は、図２および図３に示すように、上下２段の横に細長いスリット状の２重ガラスまたはアクリル製の窓１６ａおよび１６ｂを除き、発泡スチロールなどの断熱材１５ａにより陳列室５を外界から遮断できる構造となっている。スリット状の窓１６ａおよび１６ｂは、陳列室５の陳列棚６ａおよび６ｂにそれぞれ対応した位置に設けられており、窓１６ａおよび１６ｂを通して、陳列室５に並べられた商品の状況を見ることができる。このドア１５は、スイング式であり、ハンドル１５ｈを持って旋回することにより、陳列室５の後方を開放できる。
【００３９】
図７に示すように、ドア１５を開けると、陳列室５の後方が、妨げられる部分なく、全開になる。したがって、陳列棚６ａおよび６ｂは、後方に簡単に引き抜くことができる。また、床壁７の上に配置された皿状のトレイ８も後方に引き抜くことができる。そして、陳列室５の後方から、陳列室５の内部の隅々まで手が届くので、陳列室５の内部を簡単に掃除できる。したがって、陳列室５の内部を清潔な状態で保ち易い。
【００４０】
トレイ８は、陳列室５の床壁７の上に後方から抜き差し可能な状態で取り付けられており、トレイ８は、陳列室５の床面のほぼ全域を覆うサイズ（幅および長さ）である。陳列室５の内部で発生したゴミ、塵、結露によるドレンは、全てトレイ８に集まるようになっている。まず、陳列棚６ａおよび６ｂは、複数のバーが平行またはクロスした格子状であり、冷気が陳列棚６ａおよび６ｂを通って循環し易いと共に、それぞれの陳列棚６ａおよび６ｂで発生したゴミなどは、床のトレイ８に回収される。前壁１１の下方内側、側壁１２および１３の下方内側には、図６などに示すように、斜め下側に張り出したドレンガイド９が取り付けられており、トレイ８を床壁７の上に設置すると、トレイ８はドレンガイド９の下側になる。したがって、前壁１１、側壁１２および１３の内面に結露した水分は、それらの面を伝わって下に流れ、ガイド９を介してトレイ８に回収される。また、ルーフ部３０において、冷却側の熱交換器３３で発生したドレンは、ドレンパンを兼ねた天井パネル３１で回収され、ドレンパイプ６３を介し、さらに、トレイ８に回収される。
【００４１】
陳列室５の内部で発生したこれら異物を回収したトレイ８は、ドア１５を開けると、陳列室５の後側が全開になり、陳列室５の床面とほぼ同じ幅のトレイ８であっても後方に引き抜くことができる。したがって、トレイ８を引き抜いて、異物を捨て、トレイ８を洗浄することにより、陳列室５の内部を清潔に保ち易い。
【００４２】
さらに、陳列室５に収納された商品から水分が蒸発すると、それらは、ドレンとしてトレイ８に回収される。トレイ８は面積が大きいので、回収されたドレンは蒸発し易い。したがって、商品からドレン（結露水）としてトレイ８に回収された水分を、トレイ８において蒸発させてリサイクルすることにより、陳列室５の内部が乾燥しすぎた状態になることを防止できる。
【００４３】
このショーケース１０は、陳列室５の内部を冷蔵状態にでき、内部を清潔な状態に保ち易い。また、陳列室内が極端に乾燥するのも防止できる。したがって、パン生地などのように、生の状態で冷蔵し、調理した後に販売するような商品を内部に陳列して販売するのに適している。さらに、機械室２９を収納したベース部２０を薄くでき、冷却用の熱交換器３３を収納したルーフ部３０も薄くできる。したがって、ショーケース１０の高さ、および周囲の面積の内、透光性で、陳列室５の内部を顧客に見せることができる割合を大きくできる。さらに、陳列室５の後方をドア１５によりフルにオープンできる。このため、陳列室５の後方、すなわち、レジカウンターの内側から、陳列室５の内部の隅々まで簡単にアクセスでき、商品の入れ替え、室内の清掃が容易となる。
【００４４】
また、このショーケース１０は、液冷媒タイプのペルチェユニット４０を採用している。このため、上記では、冷蔵を主とした構成になっているが、ペルチェユニット４０に供給される電圧を逆にして、吸熱側と放熱側とを入れ替えることにより、陳列室内を温蔵に切り換えることも可能である。また、このショーケース１０では、後方のドア１５は、断熱性能を優先し、スリット状の窓１６ａおよび１６ｂを設けて部分的に透光性にしている。これに対し、後方のドア１５をガラスまたはアクリルの２重構造にして、ドア全面を透光性にしても良い。また、前壁１１、左右の側壁１２および１３の前側１２ａおよび１３ａは、二重構造のガラス板で構成しており、頻繁に陳列室１５の内部を清掃しても、傷が付きにくいようにしている。これらの壁は、アクリルなどのプラスチック製の板の二重構造であっても良い。
【００４５】
また、ルーフ部３０の前方から前壁１１にわたる領域全体を透光性にして、ショーケース１０が設置された室内の照明の光により陳列室５の内部を照明しても良い。蛍光灯５１などの光源の熱の影響を防止できる。また、ショーケース１０の全体の形状は直方体に限らず、円柱状、半円柱状であっても良い。ベース部２０およびルーフ部３０を薄く（高さを低く）構成できるので、ショーケース１０の全体のサイズに対して商品を陳列できる陳列室の容積を大きく確保できる。したがって、多くの商品を、余裕を持って陳列することが可能であり、ショーケース１０のデザインの自由度も高く、卓上式でレジカウンターの上の置き換えも簡単なので、商品の種類、季節などにより、様々な展示様式および／またはアレンジで商品を販売できる。
【図面の簡単な説明】
【００４６】
【図１】ショーケースを前方から見た斜視図である。
【図２】ショーケースを後方から見た斜視図である。
【図３】ショーケースの内部構造を示す断面図である。
【図４】ベース部の機械室の配置を示す断面図である。
【図５】ルーフ部の配置を示す断面図である。
【図６】フレームに沿って配置された配管を示す図である。
【図７】後方のドアを開けた状態を示す斜視図である。
【符号の説明】
【００４７】
５  陳列室、  ８  トレイ、  １０  ショーケース
１１  前壁、  １２  右側壁、  １３  左側壁、  １５  後方のドア
２０  ベース部、  ２１、２２  ポンプ、  ２３  排熱側の熱交換器、  ２９  機械室
３０  ルーフ部、  ３１  天井プレート、  ３３  吸熱側(冷却側）の熱交換器
４０  液冷媒方式のペルチェユニット
【図１】
2008096054.tif 000003
【図２】
2008096054.tif 000004
【図３】
2008096054.tif 000005
【図４】
2008096054.tif 000006
【図５】
2008096054.tif 000007
【図６】
2008096054.tif 000008
【図７】
2008096054.tif 000009